(57)【特許請求の範囲】
【請求項１】
検体を収容した検体容器を配置するために周方向に複数並べて配置された検体容器保持部であって周方向に一続きに複数配置された緊急検体用の検体容器保持部と一般検体用の他の検体容器保持部とを配置した検体ディスクと、
前記検体の分析に用いる試薬を収容した複数の試薬容器を配置した試薬ディスクと、
前記検体と試薬とを混合した反応液を収容する複数の反応容器を配置した反応ディスクと、
前記検体容器の前記検体を前記反応容器に分注する検体分注機構と、
前記試薬容器の前記試薬を前記反応容器に分注する試薬分注機構と、
前記反応容器の前記反応液を分析して検体の成分を測定する分析装置と、
少なくとも前記検体分注機構の稼動範囲を含むように予め定めた侵入不可領域へのオペレータのアクセスを防止するように前記侵入不可領域を覆う第１のカバー部材と、
前記侵入不可領域と前記検体ディスクの一部とを含む範囲を覆う第２のカバー部材と、
前記第２のカバー部材の外側に配置され、前記検体容器の前記検体容器保持部への搭載、又は、次に分析する検体容器へ交換するために設けた検体容器取扱位置と、
前記検体ディスクに搭載又は交換する検体容器が一般検体である場合には前記検体ディスクを回転駆動させて前記検体容器を搭載又は交換する対象の前記一般検体用の検体容器保持部の１つを前記検体容器取扱位置に移動し、緊急検体である場合には前記緊急検体用の検体容器保持部の１つを前記検体容器取扱位置に移動するとともに、搭載又は交換する対象の前記一般検体又は緊急検体がさらにある場合には前記検体容器取扱位置の検体容器保持部を１つ移動する制御装置と
を備えたことを特徴とする自動分析装置。
【請求項２】
請求項１記載の自動分析装置において、
前記制御装置は、前記検体ディスクの前記検体容器保持部に予め搭載された全ての検体容器に対する分注が終了した場合、次に分注対象となる検体の収容された検体容器を搭載する前記検体容器保持部を前記検体容器取扱位置に移動することを特徴とする自動分析装置。
【請求項３】
請求項２記載の自動分析装置において、
前記検体ディスクの検体容器保持部に予め搭載された前記検体容器とは別の検体容器の前記複数の検体容器保持部への追加搭載を設定する追加設定手段を備え、
前記制御装置は、前記追加設定手段の設定に基づいて、前記検体ディスクの前記検体容器保持部に予め搭載された前記検体容器の分注を保留し、追加対象の検体容器を搭載する前記検体容器保持部を前記検体容器取扱位置に移動することを特徴とする自動分析装置。
【請求項４】
請求項１〜３の何れか１項記載の自動分析装置において、
前記検体ディスクの検体容器保持部に搭載する前記検体容器の情報を設定する検体情報設定手段を備え、
前記制御装置は、前記検体情報設定手段の設定に基づいて、前記複数の検体容器保持部の１つを選択し、前記検体容器取扱位置に移動することを特徴とする自動分析装置。
【発明の詳細な説明】
【技術分野】
【０００１】
本発明は、血液や尿などの試料の定性・定量分析を行う自動分析装置に関する。
【背景技術】
【０００２】
血液や尿などの試料（以下、検体と称する）の定性・定量分析を行う自動分析装置として、例えば、特許文献１（特開２０１１−１２７９１６号公報）には、生体サンプルなどの検体が収容された検体容器と、検体容器を保持するサンプルディスクと、試料が収容される反応容器と、反応容器を保持する反応ディスクと、検体容器から反応容器に検体を分注する稼動アームに取り付けられたピペットノズルと、反応ディスクに保持された反応容器を収容するとともに、収容した反応容器内の試料を一定温度に維持するための液体を収容する液体収容部と、この液体収容部と反応容器との間に塵侵入遮断用の空気流層を形成する空気流層形成部とを有する反応槽と、反応槽の液体収容部に収容された反応容器内の試料を光学的に測定する光度計とを備えた自動分析装置に関する技術が開示されている。
【先行技術文献】
【特許文献】
【０００３】
【特許文献１】特開２０１１−１２７９１６号公報
【発明の概要】
【発明が解決しようとする課題】
【０００４】
上記従来技術のような自動分析装置においては、分析対象の検体を収容した次の検体容器がサンプルディスクの空き領域に順次追加され、また、反応容器への検体の分注が終了した検体容器が次の検体容器に順次交換される。
【０００５】
しかしながら、上記従来技術においては、分析中の検体に続いて次の検体容器を追加設置する場合、次の検体を設置する検体容器保持部がプローブガードに覆われているため、分析中の検体の分注動作が終了するまで待たなければならず、さらに分注動作終了後は、次の検体設置ポジションを手動によりプローブガードの外側まで移動させなければならないため、操作性が低下することが懸念される。
【０００６】
本発明は上記に鑑みてなされるものであり、分析中の検体に続いて次の検体容器を追加設置する操作が容易に行える自動分析装置を提供することを目的とする。
【課題を解決するための手段】
【０００７】
上記目的を達成するために、本発明は、検体を収容した検体容器を配置するために周方向に複数並べて配置された検体容器保持部であって周方向に一続きに複数配置された緊急検体用の検体容器保持部と一般検体用の他の検体容器保持部とを配置した検体ディスクと、前記検体の分析に用いる試薬を収容した複数の試薬容器を配置した試薬ディスクと、前記検体と試薬とを混合した反応液を収容する複数の反応容器を配置した反応ディスクと、前記検体容器の前記検体を前記反応容器に分注する検体分注機構と、前記試薬容器の前記試薬を前記反応容器に分注する試薬分注機構と、前記反応容器の前記反応液を分析して検体の成分を測定する分析装置と、少なくとも前記検体分注機構の稼動範囲を含むように予め定めた侵入不可領域へのオペレータのアクセスを防止するように前記侵入不可領域を覆う第１のカバー部材と、前記侵入不可領域と前記検体ディスクの一部とを含む範囲を覆う第２のカバー部材と、前記第２のカバー部材の外側に配置され、前記検体容器の前記検体容器保持部への搭載、又は、次に分析する検体容器へ交換するために設けた検体容器取扱位置と、前記検体ディスクに搭載又は交換する検体容器が一般検体である場合には前記検体ディスクを回転駆動させて前記検体容器を搭載又は交換する対象の前記一般検体用の検体容器保持部を前記検体容器取扱位置に移動し、緊急検体である場合には前記緊急検体用の検体容器保持部を前記検体容器取扱位置に移動するとともに、搭載又は交換する対象の前記一般検体又は緊急検体がさらにある場合には前記検体容器取扱位置の検体容器保持部を１つ移動する制御装置とを備えたものとする。
【発明の効果】
【０００８】
本発明によれば、分析中の検体に続いて次の検体容器を追加設置することが可能となる。
【図面の簡単な説明】
【０００９】
【図１】一実施の形態に係る自動分析装置の全体構成を示す図である。
【図２】自動分析装置における検体ディスクをその周辺構成とともに拡大して示す図である。
【図３】一般検体登録時に表示装置に表示される操作設定画面の一例を示す図である。
【図４】分析動作中に表示装置に表示される操作設定画面の一例を示す図である。
【図５】追加検体登録時に表示装置に表示される操作設定画面の一例を示す図である。
【図６】検体追加処理の処理内容を示すフローチャートである。
【発明を実施するための形態】
【００１０】
本発明の一実施の形態を図面を参照しつつ説明する。
図１は、本実施の形態に係る自動分析装置の全体構成を概略的に示す図である。
【００１１】
図１において、自動分析装置は、分析ユニット１００、及び操作部１６から概略構成されている。分析ユニット１００は、自動分析装置全体の制御を行う制御部としてのコンピュータ１４と、間欠回転可能に設けられた検体ディスク２、試薬ディスク４、及び、反応ディスク６と、検体の分注を行う検体分注プローブ７と、試薬の分注を行う試薬分注プローブ８と、反応液の測定を行う測定部２１と、これらを接続するインタフェース１５とを備えている。また、操作部１６は、設定画面や分析結果等の情報を表示する表示装置１７と、設定や指示等の入力を行う入力装置１８と、分析等に用いる各種プログラム、や設定、分析結果等を記憶する記憶装置１９と、分析結果などの情報を出力する出力装置１９（例えば、印刷出力する印刷装置）とを備えており、インタフェース１５を介して制御部１４と接続されている。
【００１２】
制御部１４は、自動分析装置全体の動作を制御するものであり、入力装置１８により入力される各種設定や指令に基づいて、記憶装置１９への各種情報（測定用プログラムや設定、測定結果等）の記憶や読み出しを行い、検体ディスク２、試薬ディスク４、反応ディスク６、検体分注プローブ７、試薬分注プローブ８、測定部２１、および出力装置１９等の動作を制御するほか、表示装置１７の表示内容を制御する。オペレータは、表示装置１７の表示内容に基づいて入力装置１８により各種指令や設定を入力する。
【００１３】
図２は、検体ディスクをその周辺構成とともに拡大して示す図である。
【００１４】
図１及び図２に示すように、検体ディスク２には、分析対象である血液や尿などの試料（以下、検体と称する）が収容された検体容器１を保持するための複数の検体容器保持部１ａが周方向に並べて配置されており、図示しない回転駆動機構により周方向に回転駆動される。検体ディスク２の複数（例えば３５個）の検体容器保持部１ａにはそれぞれ識別番号１ｄが周方向に順番に付されている（図２参照）。複数の検体容器保持部１ａのうち、周方向に一続きの複数（例えば５個）の検体容器保持部１ａは、緊急検体を収容した検体容器１の保持に割り当てられており、その他の検体容器保持部１ａが一般検体を収容した検体容器１の保持に割り当てられる。本実施の形態では、識別番号１ｄが１〜３０の検体容器保持部１ａを一般検体を収容した検体容器１の保持に、識別番号１ｄが３１〜３５の検体容器保持部１ａを緊急検体の保持にそれぞれ割り当てたた場合を示している。
【００１５】
検体ディスク２と反応ディスク６の間には、検体ディスク２の検体容器１から反応ディスク６の反応容器５に検体を分注する検体分注プローブ７が配置されており、少なくとも検体分注プローブ７における稼動領域の上方を覆うようにプローブガード７ａが配置されている。プローブガード７ａは、オペレータが検体分注プローブ７の稼動領域に侵入して検体分注プローブ７に接触するのを抑制するものであり、このプローブガード７ａにより侵入不可領域が画定されている。
【００１６】
検体ディスク２の回転駆動による検体容器保持部１ａ及び検体容器１の搬送軌道上であって、少なくともプローブガード７ａに覆われた領域（侵入不可領域）の外側には、検体容器保持部１ａへの検体容器１の搭載又は交換を行う検体容器取扱位置１ｃが設定されており、その位置には、検体容器取扱位置マーク１ｂが設けられている。検体ディスク２は、反応ディスク６の手前側に配置されており、オペレータは、後述する制御部１４により検体容器取扱位置１ｃに移動された検体容器保持部１ａに分析ユニット１００の手前側からアクセスして、検体容器１の検体ディスク２への搭載又は交換を行う。
【００１７】
試薬ディスク４には、検体の分析に用いる種々の試薬が収容された試薬ボトル３が周方向に並べて配置されており、図示しない回転駆動機構により周方向に回転駆動される。試薬ディスク４と反応ディスク６の間には、試薬ディスク４の試薬ボトル３から反応ディスク６の反応容器５に試薬を分注する試薬分注プローブ８が配置されている。
【００１８】
反応ディスク６には、分析対象の検体と試薬とを混合した反応液を収容する反応容器５が周方向に並べて配置されており、図示しない回転駆動機構により周方向に回転駆動される。反応ディスク６の回転駆動における反応容器５の搬送軌道上には、反応容器５に収容された反応液を攪拌する攪拌装置９と、反応液の透過光量を測定する測定部２１と、測定の終了した反応容器５の洗浄を行う洗浄装置１２とが設けられている。
【００１９】
測定部２１は、測定対象の反応容器５に測定光を照射する光源１０と、反応容器５及び反応液を透過する光の光度を測定する多波長光度計１１とを備えている。多波長光度計１１での測定結果は、Ａ／Ｄコンバータ１３でディジタル信号に変換され、インタフェース１５を介して記憶装置２０に送られて記憶されるとともに、制御部（コンピュータ）１４に送られて、吸光度が演算される。制御部１４での演算結果（吸光度）は、インタフェース１５を介して記憶部２０に送られ記憶される。
【００２０】
分析ユニット１００には、検体ディスク１や試薬ディスク２、反応ディスク５等を覆う本体カバー１００ａが開閉可能に設けられている。検体ディスク２の検体容器取扱位置１ｃを含む一部は、本体カバー１００ａの手前側に突出するよう配置されている。すなわち、検体ディスク１の検体容器取扱位置１ｃは、本体カバー１００ａの手前側において露出しており、オペレータは、本体カバー１００ａが開状態である場合のほか、閉状態の場合においても検体容器１の検体容器保持部１ａへの搭載又は交換を行うことができる。
【００２１】
図３〜図５は、表示装置に表示される操作設定画面の一例を示す図であり、図３は一般検体登録時、図４は分析処理中、図５は追加検体登録時の操作設定画面の一例をそれぞれ示す図である。
【００２２】
図３〜図５において、表示装置１７に表示される操作設定画面１７０は、自動分析装置における各種設定や操作、測定結果の表示等を行なうものであり、自動分析装置の動作状態を示す動作状態表示部１７９と、操作設定画面の表示内容を切り換えるための複数の切換ボタン１７１と、表示内容を分析依頼と測定結果とで切り換える切換タブ１７２と、自動分析装置の各種動作を指示する複数の操作ボタン１７８とが備えられている。
【００２３】
切換タブ１７２において分析依頼が選択された画面には、検体ディスク２に追加する検体容器１に収容された検体が一般検体であるか緊急検体であるかを設定するための一般検体ボタン１７３ａ及び緊急検体ボタン１７３ｂを有する検体選択部１７３と、オペレータの操作を補助するための情報を表示する情報表示部１７４と、処理の開始を指示するスタートボタン１７５と、測定対象の検体を収容した検体容器１を追加する検体追加処理を指示する検体追加ボタン１７６と、追加する検体の依頼内容を設定し、登録ボタン１７７ａにより登録する項目選択情報部１７７とが設けられている。
【００２４】
図３に示すように、一般検体の登録時（スタンバイ時）には、オペレータは、情報表示部１７４に表示される指示に従って各種操作を行う。検体追加ボタン１７６が選択されると、制御部１４により検体ディスク２が回転駆動され、検体容器１の追加が可能な一般検体用の検体容器保持部１ａとして、例えば、ポジション１（すなわち、識別番号１ｄが１の検体容器保持部１ａ）が検体容器取扱位置１ｃに移動される。そして、情報表示部１７４には、オペレータを補助する情報として、ポジション１への検体容器１の搭載と項目選択情報部１７７への項目選択情報の登録（すなわち、検体種別や患者ＩＤ、想定項目等の入力・選択と登録ボタン１７７ａの選択）、及び、スタートボタン１７５の選択を促す表示がなされる。
【００２５】
図４に示すように、分析中（オペレーション時）には、追加検体を設置したい場合に、追加検体ボタン１７６を選択するように促す表示がなされる。追加検体を設置する場合、オペレータは、追加する検体が一般検体か緊急検体かを検体選択部１７３により選択し、追加検体ボタン１７６を選択することにより、検体の追加を行うことができる（検体追加処理）。
【００２６】
図５に示すように、追加検体が緊急検体である場合に、検体選択部１７３で緊急検体ボタン１７３ｂを選択して、検体追加ボタン１７６を選択すると、制御部１４により検体ディスク２が回転駆動され、検体容器１の追加が可能な緊急検体用の検体容器保持部１ａとして、例えば、ポジション３１（すなわち、識別番号１ｄが３１の検体容器保持部１ａ）が検体容器取扱位置１ｃに移動される。そして、情報表示部１７４には、オペレータを補助する情報として、ポジション３１への検体容器１の搭載と項目選択情報部１７７への項目選択情報の登録（すなわち、検体種別や患者ＩＤ、想定項目等の入力・選択と登録ボタン１７７ａの選択）、及び、スタートボタン１７５の選択を促す表示がなされる。
【００２７】
図６は、制御部による検体追加処理の手順を示すフローチャートである。
【００２８】
制御部１４は、分析中には、検体ディスク２を回転駆動することにより、分注及び測定の対象となる検体を順次検体分注プローブ７による分注位置に移動させ（ステップＳ１０）、分注処理を行う（ステップＳ２０）。ここで、操作設定画面１７０により検体追加ボタン１７６が選択されたかどうかを判定し（ステップＳ３０）、判定結果がＮＯの場合には、最終検体であるかどうかを判定する（ステップＳ３１）。ステップＳ３１での判定結果がＮＯの場合には、ステップＳ１０〜Ｓ３０の処理を繰り返し、判定結果がＹＥＳの場合には、検体容器１が搭載可能な検体容器保持部１ａ（すなわち、検体容器１が保持されていない、或いは、分注処理の終了した検体容器１が保持されている検体容器保持部１ａ）を検体容器取扱位置１ｃに移動し（ステップＳ３２）、処理を終了する。
【００２９】
また、ステップＳ３０での判定結果がＹＥＳの場合には、検体ディスク２に搭載済みの検体容器１に対する分注処理を一時保留し（ステップＳ４０）、追加する検体が緊急検体であるかどうかを判定する（ステップＳ５０）。ステップＳ５０での判定結果がＮＯの場合、すなわち、追加する検体が一般検体である場合には、一般検体に割り当てられた識別番号１ｄが１〜３０の検体容器保持部１ａのうち、検体容器１が搭載可能な検体容器保持部１ａ（例えばポジション１）を検体容器取扱位置１ｃに移動する（ステップＳ５１）。このとき、操作設定画面１７０の情報表示部１７４には、ポジション１への検体容器１の搭載と項目選択情報部１７７への項目選択情報の登録、及び、スタートボタン１７５の選択を促す表示がなされる（図３参照）。
【００３０】
また、ステップＳ５０での判定結果がＹＥＳの場合、すなわち、追加する検体が緊急検体である場合には、緊急検体に割り当てられた識別番号１ｄが３１〜３５の検体容器保持部１ａのうち、検体容器１が搭載可能な検体容器保持部１ａ（例えばポジション３１）を検体容器取扱位置１ｃに移動する（ステップＳ６０）。このとき、操作設定画面１７０の情報表示部１７４には、ポジション３１への検体容器１の搭載と項目選択情報部１７７への項目選択情報の登録、及び、スタートボタン１７５の選択を促す表示がなされる（図３参照）。
【００３１】
ステップＳ５１及びステップＳ６０の処理が終了すると、登録ボタン１７７ａが選択されたかどうか、すなわち、項目選択情報の登録が行われたかどうかを判定し（ステップＳ７０）、判定結果がＹＥＳの場合には、検体容器搭載部１ｃに位置する検体容器保持部１ａのポジションを１つ移動し（ステップＳ８０）、判定結果がＮＯの場合にはそのまま、スタートボタン１７５が選択されたかどうかを判定する（ステップＳ９０）。ステップＳ９０での判定結果がＮＯの場合には、ステップＳ７０の処理に戻る。
【００３２】
また、ステップＳ９０での判定結果がＹＥＳの場合には、追加検体が緊急検体であるかどうかを判定し（ステップＳ１００）、判定結果がＹＥＳの場合は、対象の検体容器１、すなわち、追加した緊急検体が収容された検体容器１を分注位置に移動し（ステップＳ１１０）、分注処理を行う（ステップＳ１２０）。続いて、緊急検体の分注処理が終了したかどうかを判定し（ステップＳ１３０）、判定結果がＮＯの場合には、ステップＳ１３０での判定結果がＹＥＳになるまで、ステップＳ１２０の処理を繰り返す。
【００３３】
ステップＳ１００での判定結果がＮＯの場合、又は、ステップＳ１３０での判定結果がＹＥＳの場合には、ステップＳ４０で行った分注処理の保留を解除し（ステップＳ１４０）、ステップＳ１０の処理に戻る。
【００３４】
以上のように構成した本実施の形態の効果を説明する。
【００３５】
従来技術の自動分析装置においては、分析対象の検体を収容した次の検体容器がサンプルディスクの空き領域に順次追加され、また、反応容器への検体の分注が終了した検体容器が次の検体容器に順次交換される。しかしながら、分析中の検体に続いて次の検体容器を追加設置する場合、次の検体を設置する検体容器保持部がプローブガードに覆われているため、分析中の検体の分注動作が終了するまで待たなければならず、さらに分注動作終了後は、次の検体を設置する検体容器保持部を手動によりプローブガードの外側まで移動させなければならないため、操作性が低下することが懸念される。
【００３６】
これに対して、本実施の形態においては、検体を収容した検体容器を配置するための複数の検体容器保持部を周方向に並べて配置した検体ディスクと、検体の分析に用いる試薬を収容した複数の試薬容器を配置した試薬ディスクと、検体と試薬とを混合した反応液を収容する複数の反応容器を配置した反応ディスクとを備えた自動分析装置において、少なくとも検体容器の検体を反応容器に分注する検体分注機構の稼動範囲を含むように予め定めた侵入不可領域の外側に、検体容器の検体容器保持部への搭載及び検体容器保持部からの取外しのために設けた検体容器取扱位置に、検体ディスクを回転駆動させて検体容器を搭載又は交換する対象の検体容器保持部を移動するように構成したので、分析中の検体に続いて次の検体容器を追加設置することが可能となる。
【符号の説明】
【００３７】
１  検体容器
１ａ  検体容器保持部
１ｂ  検体容器取扱位置マーク
１ｃ  検体容器取扱位置
１ｄ  識別番号
２  検体ディスク
３  試薬ボトル
４  試薬ディスク
５  反応容器
６  反応ディスク
７  検体分注プローブ
７ａ  プローブガード
８  試薬分注プローブ
９  攪拌装置
１０  光源
１１  多波長光度計
１２  洗浄装置
１３  Ａ／Ｄコンバータ
１４  コンピュータ（制御部）
１５  インタフェース
１６  操作部
１７  表示装置
１８  入力装置
１９  出力装置
２０  記憶装置
２１  測定部
１００  分析ユニット
１００ａ  本体カバー
【図１】
0006026753.tif 000002
【図２】
0006026753.tif 000003
【図３】
0006026753.tif 000004
【図４】
0006026753.tif 000005
【図５】
0006026753.tif 000006
【図６】
0006026753.tif 000007